(57)【要約】【課題】安定した設置状態となり、かつ、散水用と害獣撃退用として併用でき、さらに、水道と接続できない場所にも設置可能とする。【解決手段】下端の貯水タンクの上壁から立設した送液管の上端に、水噴射手段を設置すると共に、前記送液管の上下方向の中間位置に制御ボックスを介在させたスタンド型とし、前記制御ボックスは、前記送液管の開閉弁、害獣検出用の赤外線センサー、該赤外線センサーの検出信号補正用の温度センサー、害獣撃退用と散水用とに切り替える操作スイッチ、前記温度センサーにより補正された前記赤外線センサーの検出信号と前記操作スイッチからの信号を受信して前記開閉弁を開閉作動する制御盤と、電源となる電池収容部とを備え、前記スタンド型の下端支持台とする前記貯水タンクは、前記水噴射手段および制御ボックスより外形を大とすると共に貯水重量を錘として機能させ、かつ、水道ホースとのジョイント部を開閉自在に設けている。【選択図】図１
2009178089.tif 000002
【特許請求の範囲】
【請求項１】
下端の貯水タンクの上壁から立設した送液管の上端に、水噴射手段を設置すると共に、前記送液管の上下方向の中間位置に制御ボックスを介在させたスタンド型とし、
前記制御ボックスは、前記送液管の開閉弁と、害獣検出用の赤外線センサーと、該赤外線センサーの検出信号補正用の温度センサーと、手動または無線信号で害獣撃退用と散水用とに切り替える操作スイッチと、前記温度センサーにより補正された前記赤外線センサーの検出信号と前記操作スイッチからの信号を受信して前記開閉弁を開閉作動する制御盤と、電池の収容部を備え、
前記スタンド型の下端支持台とする前記貯水タンクは、前記水噴射手段および制御ボックスより外形を大とすると共に貯水重量を錘として機能させ、かつ、水道ホースとのジョイント部を開閉自在に設けていることを特徴とする散水兼用の害獣撃退装置。
【請求項２】
前記水噴射手段として、噴射口からの噴射水の噴射距離、噴射角度および噴射方向を調節自在とした回転ノズルを備えている請求項１に記載の散水兼用の害獣撃退装置。
【請求項３】
前記貯水タンクは、高さ寸法が直径より小さい円筒容器または台円錐形状の容器からなり、貯水量が相違する貯水タンクを選択し、該貯水タンクに前記送液管を着脱自在に取り付けて立設している請求項１または請求項２に記載の散水兼用の害獣撃退装置。
【請求項４】
前記貯水タンクに貯水してジョイント部を閉鎖した時には、貯水タンクに加圧ポンプを取り付けて、該加圧ポンプにより貯水タンク内の貯水を加圧している請求項１乃至請求項３のいずれか１項に記載の散水兼用の害獣撃退装置。
【請求項５】
前記貯水タンクの上壁にメッシュ容器取付部を設け、該メッシュ容器取付部に水溶性薬剤を収容したメッシュ容器を取り付け、該メッシュ容器を前記タンク内に吊設し、該メッシュ容器内の水溶性薬剤を前記タンクに貯留された液体に浸漬している請求項１乃至請求項４のいずれか１項に記載の散水兼用の害獣撃退装置。
【発明の詳細な説明】
【技術分野】
【０００１】
本発明は、散水兼用の害獣撃退装置に関し、詳しくは、住宅の庭や公園等に侵入しようとする猫、鹿、イタチ、ウサギ、猿、猪、山間地では熊等の害獣をセンサーで検知し、これら害獣に液体を噴射することにより害獣を撃退し、かつ、庭や公園の花壇、芝、プランターや菜園への散水用と兼用できるようにするものである。
【背景技術】
【０００２】
従来、庭や公園等に侵入する猫を撃退する猫駆除装置として、特開平１１−３１８３１２号公報（特許文献１）が提供されている。該猫駆除装置１は、図１４に示すように、上端に配置したスプリンクラー２と、水道水を供給するホースの受け口となる連結口部３と、スプリンクラー２と連結口部３を接続する送給管４と、該送給管４に介設された電磁弁５と、猫を検知して電磁弁５を制御するセンサー６と、前記電磁弁５とセンサー６を作動させるための蓄電池７を備え、これら送給管４、電磁弁５、センサー６および蓄電池７をケース８内に収容している。
【０００３】
前記特許文献１で提供されている猫駆除装置１によれば、センサー６が猫を検知すると電磁弁５が開いて、水道と連結した送給管４より猫に向けてスプリンクラー２より水を散布して猫を撃退している。また、該猫駆除装置１は持ち運び可能としており、電磁弁５とセンサー６を作動させるための電源を蓄電池７として装置に設け、水道ホースが届く範囲であれば使用することができるものとしている。
【０００４】
しかしながら、特許文献１の装置では、水道と接続して用いるため、水道管が敷設されておらず、ホースを介しても接続できない場所では使用することができない。
また、上端に設けたスプリンクラー２は、水道水を散布する際に振動するが、この振動により猫駆除装置１が転倒しないようにするために、猫駆除装置１の上端側から下端側にかけて平面視外形を大きくしたケース８を設けている。このように、ケース８の平面視外形を大きくすることによりスプリンクラー２が振動しても猫駆除装置１を安定した状態で起立させておくことができるが、猫駆除装置１が大型化して配置スペースをとってしまうと共に、重量化して持ち運びしにくくなってしまう問題がある。
また、水の散布は猫を検出する信号で行われるため、庭や公園に設置しても、庭や公園の花壇、芝、プランターや菜園等への散水に利用することはできない。
【０００５】
【特許文献１】特開平１１−３１８３１２号公報
【発明の開示】
【発明が解決しようとする課題】
【０００６】
本発明は前記問題に鑑みてなされたものであり、猫等の害獣の撃退用に噴射するだけでなく庭や公園の花壇や芝等への散水にも利用でき、かつ、水道が配管されていない場所でも使用でき、さらに、安定して起立できる構造とすることを課題としている。
【課題を解決するための手段】
【０００７】
前記課題を解決するため、本発明は、下端の貯水タンクの上壁から立設した送液管の上端に、水噴射手段を設置すると共に、前記送液管の上下方向の中間位置に制御ボックスを介在させたスタンド型とし、
前記制御ボックスは、前記送液管の開閉弁と、害獣検出用の赤外線センサーと、該赤外線センサーの検出信号補正用の温度センサーと、手動または無線信号で害獣撃退用と散水用とに切り替える操作スイッチと、前記温度センサーにより補正された前記赤外線センサーの検出信号と前記操作スイッチからの信号を受信して前記開閉弁を開閉作動する制御盤と、電源となる電池収容部とを備え、
前記スタンド型の下端支持台とする前記貯水タンクは、前記水噴射手段および制御ボックスより外形を大とすると共に貯水重量を錘として機能させ、かつ、水道ホースとのジョイント部を開閉自在に設けていることを特徴とする散水兼用の害獣撃退装置を提供している。
【０００８】
前記構成からなる本発明の散水兼用の害獣撃退装置によれば、害獣に向けて散布する液体を貯水タンクをスタンド型の下端支持台とし、該下端支持台の上壁から立設する送液管の上下中間位置に制御ボックスを介設し、上端にスプリンクラーとなる水噴射手段を取り付けた構成とし、貯水タンクを下端の支持台とし、該貯水タンクを大型で、かつ貯水重量が加わることで、装置の重心を下端部とすることができ、安定した状態で起立させることができ、装置の転倒を防止することができる。
【０００９】
具体的には、前記貯水タンクは、高さ寸法が直径より小さい円筒容器や台円錐状容器とし、安定感があるものとしている。
該貯水タンクは、例えば、円環形状の台座部と、該台座部上に前記円筒容器からなる貯水部を備え、前記台座部の直径またはは前記円筒容器の下端の直径は、貯水部の上壁中央から立設する送液管の直径の４〜１０倍とし、かつ、前記貯水部の貯水量は２００〜５０００ｃｃとし、
さらに、前記台座部の直径寸法（Ｌ）と送液管の下端から前記水噴射手段の上端までの高さ寸法（Ｈ）との比（Ｈ／Ｌ）が１〜５とすることが好ましい。
また、本発明装置の全体重量は、貯水タンクを空とした状態で３〜５ｋｇ、貯水タンクに水を貯水した状態で４〜１０ｋｇとすることが好ましい。
【００１０】
前記貯水タンクは、貯水量が相違する貯水タンクを複数種類用意しておき、選択して使用可能とし、該貯水タンクに前記送液管を着脱自在に取り付けて立設する構成とすることが好ましい。水道と接続できない場所で使用する場合には、貯水量が１０００〜５０００ｃｃ程度の大型の貯水タンクを使用すると、十分に害獣を撃退できる水量となると共に、複数回数の噴射も可能となり、かつ、農作地の散水用としても有効となる。
【００１１】
前記特許文献１では、水道と接続して用いているため、人家から離れた菜園等で水道管が配管されていない場所では使用出来ないが、本発明では貯水タンクを設けているため、水道管が配管されていない場所にも移動させて用いることができる。その際、貯水タンク内の水を抜いて軽量化し、かつ、貯水タンクと送液管とを分解し小型化して移動させることができ、所要箇所に移動した後に、給水缶やペットボトルから貯水タンク内に水を注入すれば良く、移動に便利なものとなる。なお、貯水タンク内に貯水した状態で本装置を移動してもよい。
さらに、前記のように制御ボックス内に電池収容部を設け、例えば、単３電池を４本収容しておけば、水道配管と同様に電気配線がない場所でも作動させることができる。
【００１２】
前記送液管の途中に制御ボックスを取り付け、該制御ボックスに害獣検出用の赤外線センサーを設置し、赤外線センサーを地上高さ２５〜６０ｃｍの位置に配置することが好ましい。
かつ、本発明では赤外線センサーの検出角度範囲を９０゜程度の広い範囲とし、かつ、検出距離を０．２〜１２ｍとし、角度範囲で広い範囲に渡って害獣を確実に検出することができるようにすることが好ましい。
また、検出した害獣に噴射水を当てるため、本発明の水噴射手段から水の噴射距離は検出範囲と同等な０．２〜１２ｍとし、かつ、噴射圧を２〜４ｋｇ／ｃｍ２とすることが好ましい。該噴射圧は水道水圧を噴射ノズルのオリフィスにより増圧して調整している。
さらに、庭の花壇や芝生等への散水兼用としているため、前記水噴射手段は、噴射口からの噴射水の噴霧距離、噴射角度および噴霧方向を調節自在とした回転ノズルを備えたものとしている。
さらにまた、水噴射時に害獣撃退用の威嚇音を発生するようにしてもよい。
【００１３】
また、本発明の装置では、前記したように、温度センサーを設けて赤外線センサーの検出信号を補正している。これは、夏季の高温下では外気温度が害獣の体温に近くなると検出感度が悪くなり害獣を検出しなくなる恐れがあり、かつ、昼夜では外気温度が変化して検出感度が変化するため、外気温度に応じて赤外線センサーの温度補正回路を設けている。これにより、夏季や昼間の高温時には感度を上げて検出しやしくし、冬季や夜間の低温時には感度を下げて誤作動の発生を防いでいる。
【００１４】
具体的には、赤外線センサーの検出信号の振幅が設定した閾値より大きくなると害獣であると判定するものとし、該振幅の閾値を、温度センサーで測定された外気温度が高くなると判定基準の閾値となる振幅を小さく設定する一方、外気温が低くなると閾値となる振幅を大きく設定している。
即ち、外気温が高温となり、撃退の対象となる害獣の体温に近付くに従って赤外線センサーの検出信号の振幅は小さくなるため、閾値を小さくし害獣を確実に検出できるようにしている。一方、外気温度が低温となり、害獣の体温から離れるに従って赤外線センサーの検出信号の振幅の閾値を上げて、害獣がいないにもかかわらず、害獣であると誤判定することを防止している。
【００１５】
さらにまた、本装置では、害獣撃退用だけでなく、花壇、芝、菜園等への散水用として兼用できるようにするため、選択用の操作スイッチを設けている。
前記操作スイッチは手動スイッチ、または送信機からの送信信号を無線受信できる受信器を付設して無線信号で切り替えられるようにしている。さらに、タイマーを付設してもよい。
前記赤外線センサーの検出信号と前記操作スイッチからの信号を受信して制御盤により開閉作動する前記開閉弁は電磁弁とすることが好ましい。
【００１６】
前記構成によれば、貯水タンクを水道水から供給している場合には、水道水圧を利用し、貯水タンクを通して送液管を通して噴射できる。特に、散水兼用として長時間の水噴射する場合には、水道水と常時接続しておくことが好ましい。
【００１７】
前記貯水タンクに貯水してジョイント部を閉鎖して用いる場合には、貯水タンクに加圧ポンプを取り付けて、該加圧ポンプにより貯水タンク内の貯水を加圧して前記噴射口から水を噴射している。
前記加圧ポンプは電源と接続できない場合は、手動式の加圧ポンプを取り付け、または付設する電池収容部の電池を用いて駆動し、圧力空気を貯水タンク内に供給して貯水タンク内の水を加圧していることが好ましい。かつ、貯水タンク内の圧力を計測する圧力計を設け、手動で加圧する場合には、貯水タンク内の圧力が所定値以下となった場合に停止する一方、前記圧力計で測定した貯水タンク内の水圧が設定値以下になると、自動で加圧ポンプが作動して、貯水タンク内の圧力を常に所定値以上としてもよい。
加圧ポンプを用いて貯水タンク内を加圧する場合には、貯水量を貯水タンクの容量の２／３以下としていることが好ましい。
このように、水道水と接続しておらず、貯水タンク内に貯水した水を噴射する場合においても、水道水圧と同程度の水圧となるように水を加圧しておくことにより、開閉弁が開放した時に水を噴射することができる。
【００１８】
前記貯水タンクの上壁部にメッシュ容器取付部を設け、該メッシュ容器取付部に水溶性薬剤を収容したメッシュ容器を取り付けて、該メッシュ容器を前記タンク内に吊設し、該メッシュ容器内の水溶性薬剤を前記タンクに貯留された液体に浸漬していることが好ましい。
前記構成によれば、貯水タンクに貯留された液体に、害獣が嫌う水溶性薬剤を溶かして嫌液とすると、より害獣撃退効果を高めることができる。該水溶性薬剤としては、木酢液等が挙げられる。
さらに、害獣が嫌うと共に植物にとって害虫除去用の薬剤とすれば、害獣撃退用と散水用のいずれの場合にも貯水タンク内の水を有効利用することができる。
また、水溶性薬剤に替えて、メッシュ容器内に固形の塗料を収容して、該塗料を液体に溶かしてカラー塗料とすると、侵入した猫等を特定することができる。
【発明の効果】
【００１９】
前述したように、本発明の散水兼用の害獣撃退装置では、猫や害獣に向けて噴射して撃退できる水を貯留できるタンクを下端支持台として備えたスタンド型としているため、重心が下端側となり安定した状態で自立させることができ、装置の転倒を防止できる。
また、水道と接続して、花壇、芝生、菜園への散水用としても機能させることができると共に、貯水タンクを備えているため水道と接続できない場所にも害獣撃退用として移動して設置することができる。かつ、移動する際には、貯水タンクを空にすると移動時の重量を軽減することができる。
さらに、赤外線センサーにより広角度かつ長距離の範囲を検出範囲としているため、害獣の検出能力に優れ、かつ、赤外線センサーの検出信号を温度センサーにより補正しているため外気温に変化があっても確実に害獣を検出することができる等の種々の利点を有する。
【発明を実施するための最良の形態】
【００２０】
本発明の実施形態を図面を参照して説明する。
図１乃至図９に、本発明の第１実施形態を示す。
本実施形態の散水兼用の害獣撃退装置１０（以下、本装置１０と称する）は、水道管とホースを介して接続できる住宅の庭や公園等に配置し、猫等の害獣に向けて水を噴射することにより害獣を撃退して、害獣が庭や公園等に侵入するのを防止し、かつ、散水用としても水を噴射できるものとしている。
【００２１】
本装置１０は、図１に示すように、貯水タンク１２の上壁中央から送液管１３を立設し、該送液管１３の上端にスプリンクラーとなる水噴射手段１１を取り付けると共に、送液管１３の上部側に制御ボックス１４を取り付けている。
前記下端の貯水タンク１２の外形は、制御ボックス１４および水噴射手段１１よりも大とし、本装置１０の全体をスタンド型としている。
【００２２】
本装置１０は、図２に示すように、送液管１３は下側送液管５０、上側送液管５１及び中央送液管５２で構成し、貯水タンク１２と制御ボックス１４に設けた中央送液管５２を下側送液管５０で連結すると共に、制御ボックス１４に設けた中央送液管５２と水噴射手段１１を上側送液管５１で連結して組み立て、水噴射手段１１、制御ボックス１４および貯水タンク１２を分離可能としている。よって、本装置１０は分離することによりコンパクトにして搬送できるようにしている。かつ、上下の送液管の長さを変更することにより、水噴射手段１１や赤外線センサー１５の地上高さ位置を変更可能としている。
【００２３】
貯水タンク１２と制御ボックス１４に設けた中央送液管５２を連結する下側送液管５０は下端外周面と上端内周面にネジ部を設けた長尺な円筒形状とし、下端部を貯水タンク１２の連結部１２ｃ−１にネジ止めすると共に、上端部を中央送液管５２の連結部５２ａにネジ止めしている。なお、下側送液管５０の中空部は上方に向けて縮径させ、下側送液管５０を流通する際に水圧を高めてもよい。
【００２４】
水噴射手段１１と制御ボックス１４に設けた中央送液管５２を連結する上側送液管５１は上下両端の内周面にネジ部を設けた短尺な円筒形状とし、下端部を中央送液管５２の連結部５２ｂにネジ止めすると共に、上端部を水噴射手段１１の連結部１１ａにネジ止めしている。前記制御ボックス１４のケース１４ａの内部に収容する中央送液管５２には、開閉弁１８を介設している。前記貯水タンク１２、制御ボックス１４のケース１４ａおよび送液管１３は樹脂製としている。
【００２５】
貯水タンク１２は、図３に示すように、円環形状の台座部１２ａと、該台座部１２ａの上部に貯水部１２ｂを備え、台座部１２ａの直径寸法（Ｌ）は貯水部１２ｂの上壁中央から連通させて立設する送液管１３（下側送液管５０）の直径の４〜１０倍としている。本実施形態では送給管１３の直径は３０ｍｍとしている。
本実施形態では、貯水部１２ｂの中空部Ｓ１の貯水量が１０００〜５０００ｃｃの貯水タンクを用い、送液管１３の中空部Ｓ２を通して貯水部Ｓ１内の水を水噴射手段１１へと送給している。
さらに、台座部１２ａの直径寸法（Ｌ）と送液管１３の下端から前記水噴射手段１１の上端までの高さ寸法（Ｈ）との比（Ｈ／Ｌ）を１〜５としている。
【００２６】
貯水部１２ｂは台座部１２ａの対向部に橋架け状に設け、該貯水部１２ｂの側面に、水道管と接続するホース（図示せず）と接続するためのジョイント部１２ｄを設けている。
該ジョイント部１２ｄはホースが接続されると開位置となり、ホースとの非接続時には閉位置となるものとしている。
さらに、貯水タンク１２の上面に送給管１３の周囲を囲む円環状の金属製の錘２２を着脱自在に載置している。なお、貯水タンク１２に液体を貯留することにより本装置１０を安定自立させることができる重量となれば、錘２２を設けなくてもよい。
【００２７】
前記水噴射手段１１は、噴射角度、噴射方向、噴射距離を調節自在とし、噴射距離を１ｍ以上で最大１２ｍまでの範囲で調節可能とし、かつ、噴射口１１ｄを２０〜３６０゜の範囲で回転可能とした回転ノズルから構成している。
具体的には、回転ノズルからなる水噴射手段１１は、図５に示すように、本体部１１ｂを前記連結部１１ａに回転自在に取り付け、該本体部１１ｂは連結部１１ａの上端より上方に突出する送給筒部１１ｃを備え、該送給筒部１１ｃの側面より斜め上方に向けて噴射口１１ｄを突出させている。該ノズルの中空部にオリフィスを設けて噴射圧力を高めている。
【００２８】
前記本体部１１ｂは、送給筒部１１ｃの上端に、水噴射方向に延在する前側フレーム１１ｆと、水噴射方向の反対側において上方に延在する後側フレーム１１ｇと、前側フレーム１１ｆと後側フレーム１１ｇの先端を連結し前後に延在する上側フレーム１１ｈからなる枠部１１ｉを設けている。
【００２９】
以下に、噴射距離、噴射角度、噴射方向の調節機構について詳述する。
噴射距離の調節機構は、前側フレーム１１ｆの先端には、噴射距離を調節するためのネジ６０を取り付けている。図６に示すように、ネジ６０を調節して噴射口１１ｄの前方に配置されるネジ６０の突出量を変え、噴射口１１ｄより噴射される水とネジ６０との衝突量を変え、噴射距離を調節している。即ち、図６（Ａ）に示すように、ネジ６０の突出量を長くして噴射距離を短くし、逆に、図６（Ｂ）に示すように、ネジ６０の突出量を小さくし、噴射距離を長くしている。
【００３０】
噴射角度および噴射距離の調節機構は、上側フレーム１１ｈに飛距離調整ダイヤル６１を回転自在に取り付け、その前方に水平状態となるようにバネＢ１で付勢された調整板６２を取り付け、飛距離調整ダイヤル６１を回転させて調整板６２の傾斜角度を変えている
噴射口１１ｄから噴射される水は、前記ネジ６０で噴射圧が調整されて噴射され、調整板６２の先端部６２ａに当たり、調整板６２の傾斜角度によって水の噴射距離および噴射角度を調整している。
即ち、図７（Ａ）に示すように、調整板６２が水平に近い状態では、噴射口１１ｄより噴射された水ｗの噴射角度が若干変わるだけであるのに対して、図７（Ｂ）に示すように、調整板６２の先端側がより下方傾斜した状態では、噴射口１１ｄより噴射された水ｗの噴射角度がより大きく変わり、噴射距離がより短くなる。
【００３１】
噴射方向の調節機構は、前記本体部１１ｂの送給筒部１１ｃの上端と上側フレーム１１ｈの間に、回転アーム６３をバネＢ２により時計回り方向に付勢された状態で回転自在に取り付けている。回転アーム６３は、回転軸部６３ａから屈曲した前側アーム部６３ｂと後側アーム部６３ｃを対向する方向に突設している。噴射口１１ｄより噴射された水が前側アーム部６３ｂに当たると、回転アーム６３が反時計回り方向に回転し、前側アーム部６３ｂに水が当たらなくなると、噴射口１１ｄから噴射された水はネジ６０および調整板６２に当たって前方へ噴射される。
【００３２】
さらに、噴射時に威嚇音を発生する機構としている。
前記回転アーム６３が回転し、前側アーム部６３ｂに水が当たらなくなると、回転アーム６３はバネＢ２により付勢されて時計回り方向に回転する。回転アーム６３がバネＢ２の付勢力で元の位置に戻ったときに、回転アーム６３の後側アーム部６３ｃが後側フレーム１１ｇと衝突し、害獣を威嚇する衝突音を発生する。かつ、この衝撃により本体部１１ｂが時計回り方向に所要角度回転し、本体部１１ｂに設けた噴射口１１ｄも時計回り方向に所要角度回転する。
このように、回転アーム６３が元の位置に戻ると、再び水が回転アーム６３の前側アーム部６３ｂに当たり、前記のように反時計回り方向の回転と時計回り方向の回転を繰り返す。この動作を繰り返すたびに、後側アーム部６３ｃと後側フレーム１１ｇとの衝突音が鳴ると共に、本体部１１ｂが時計回り方向に回転して噴射口１１ｄも時計回り方向に回転する。
【００３３】
さらに、前記本体部１１ｂに、回転アーム６３の前側アーム部６３ｂの下方位置に２つの第１レバー６５と第２レバー６６を収容する収容部１１ｊを設け、これら第１、第２レバー６５と６６は互いにバネ（図示せず）により付勢している。該第１、第２レバー６５、６６が図８（Ａ）の状態であると、本体部１１ｂは常に時計回りに回転させる一方、第１、第２レバー６５、６６が図８（Ｂ）の状態であると、本体部１１ｂは常に反時計回り方向に回転させている。このとき、噴射範囲は３６０°の全周囲となる。
【００３４】
水噴射手段１１の連結部１１ａ側に手動により回転可能な２つの噴射範囲調整部材６４を上下に重ね合わせた状態で取り付けている。該噴射範囲調整部材６４は、連結部１１ａの外周面に外嵌する取付部６４ａから突片部６４ｂを側方に向けて突出させており、図９に示すように、２つの噴射範囲調整部材６４を手動で回転させることにより突片部６４ｂ間の角度αを調整し、これら突片部６４ｂ間の間を噴射範囲としている。
【００３５】
前記制御ボックス１４のケース１４ａ内に、害獣を検出するための赤外線センサー１５、外気温度を測定用の温度センサー１６、制御盤１７、該制御盤１７からの開閉弁制御信号により送給管１３を開閉する電磁弁からなる開閉弁１８を収容している。
【００３６】
さらに、ケース１４ａに前記センサー１５、１６、制御盤１７、開閉弁１８の電源となる乾電池２１を収容する電池収容部２０を備え、該電池収容部２０の開閉蓋２０ａをケース１４ａの下面に取り付けている。該電池収容部２０には本実施形態では単３の乾電池を４本収容している。
さらに、ケース１４ａの下面に害獣撃退モードと散水モードとの切り替え用の操作スイチ４０を設けている。
前記制御盤１７は赤外線センサー１５、温度センサー１６からの検出信号が入力されると共に操作スイッチ４０からの切り替え信号が入力され、後述するように、これら入力信号に基づいて開閉弁１８を開閉制御している。
【００３７】
前記ケース１４の側壁には、内部に収容した赤外線センサー１５と対向する位置に開口を設け、該開口に透明のレンズ１９を取り付けている。該レンズ１９を通して赤外線センサー１５で周囲の害獣を検知できる構成としている。本実施形態では、赤外線センサー１５の検知範囲を、水平方向の赤外線の中心照射線を挟んで水平方向に約８０度の範囲を検出範囲とし、かつ、検知距離を０．２〜１２ｍの範囲で調節可能としている。
【００３８】
前記赤外線センサー１５からの出力信号は、制御盤１７に設けたアンプ（図示せず）に一旦入力されて増幅される。
前記アンプで増幅された信号は制御盤１７に設けたコンパレータ（図示せず）に入力され、該信号の振幅がコンパレータで設定した閾値を超えた場合には、害獣が検知されたものと判定して、制御盤１７から開閉弁１８に開閉弁制御信号を送信し、開閉弁１８が開き、水噴射手段１１より水を噴射している。
逆に、コンパレータに入力された信号の振幅がコンパレータで設定された閾値を超えない場合には、害獣が検知されなかったものと判定して、開閉弁１８が閉じたままの状態となる。
【００３９】
また、制御盤１７のコンパレータには温度センサー１６からの信号を入力し、温度センサー１６からの信号に応じてコンパレータの前記閾値を補正している。
即ち、外気温度が上がって撃退対象の害獣の温度に近付くにつれてコンパレータの閾値を小さくすることにより感度を上げ、赤外線センサー１５からの信号の振幅が小さい場合にも開閉弁１８を開くようにしている。
逆に、外気温度が下がって撃退対象の害獣の温度から離れるにつれてコンパレータの閾値を大きくすることにより感度を下げ、赤外線センサー１５からの信号の振幅が小さい場合には開閉弁１８を開かないようにして、害獣撃退装置１０の誤作動を防止している。
【００４０】
次に、本実施形態の害獣撃退装置１０の動作について説明する。
まず、貯水タンク１２に設けたジョイント部１２ｄにホースを接続し、該ホースを介して水道管と連通し、該水道水を貯水タンク１２を通して水噴射手段１１から噴射できるようにしておく。
【００４１】
切り替え用の操作スイッチ４０を害獣撃退モードとすると、赤外線センサー１５の検出信号が制御盤１７のアンプで増幅され、該信号がコンパレータに入力される。該コンパレータに入力された赤外線センサー１５からの信号と、温度センサー１６からの信号により補正された閾値が比較され、赤外線センサー１５からの信号の振幅が閾値を超えた場合には、制御盤１７より開閉弁制御信号が送信され開閉弁１８が開く。
開閉弁１８が開くと、ホースを介して供給される水道水の圧力によりタンク１２に貯留された水道水が送給管１３を介して水噴射手段１１の噴射口１１ｄまで圧送され、噴射口１１ｄに連通したオリフィスで水圧を高めて２〜４ｋｇ／ｃｍ２の水圧で噴射される。噴射された水が猫等の害獣にかかると、害獣は水を本能的に嫌がり、害獣を撃退することができる。
【００４２】
操作スイッチ４０を散水モードに切り替えると、制御盤１７は開閉弁１８を開動作に切り替え、噴射口１１ｄから水を噴射して、花壇、芝生、菜園等に散水することができる。
このように、操作スイッチ４０のワンタッチ操作で、害獣撃退用と散水用とに切り替えることができる。
なお、タイマーを取り付けておくと、所要時間、自動散水をすることができる。本実施形態ではタイマーで、例えば１０分間自動散水できるように設定している。
【００４３】
前記のように、本装置１０によれば、貯水タンク１２を装置の下端に設け、該貯水タンク１２を装置の支持台としているため、貯水タンク１２に貯留された液体によって装置が重量化し、かつ、重心が下部側となるため、本装置を安定した状態で起立させることができ、装置の転倒を防止することができる。
さらに、送給管１３の下端を貯水タンク１２の上壁中央から立設すると共に、制御ボックス１４、水噴射手段１１より貯水タンク１２の外形を大としているため、より安定した状態で装置を起立させておくことができる。
また、本装置１０を他の場所に移動させて設置する際には、ジョイント部１２ｄでのホースとの接続を外し、貯水タンク１２内の水を排水すると、本装置１０の重量を軽減できる。また、貯水タンクと送液管、制御ボックスおよび水噴射手段を分解して小型化できる。よって、所要位置への搬送を容易に行うことができる。
【００４４】
図１０に本発明の第２実施形態を示す。
第２実施形態では、貯水タンク１２内の水を害獣が嫌う水とするためのメッシュ容器取付部１２ｇを設けている。他の構成は第１実施形態と同様である。
詳細には、タンク１２の上壁１２ｆにメッシュ容器取付部１２ｇを設けている。該メッシュ容器取付部１２ｇは、上壁１２ｆに設けた貫通穴１２ｈの周縁部を上方に突出させた構成としている。該メッシュ容器取付部１２ｇの上端面に木酢液からなる水溶性薬剤３０を収容したメッシュ容器３１の上端縁を引っ掛けて取り付け、該メッシュ容器３１をタンク１２内に吊設し、該メッシュ容器１２内の水溶性薬剤３０を貯水タンク１２に貯留される水道水に浸漬している。
また、メッシュ容器取付部１２ｇには、メッシュ容器３１を取り付けた状態でカバー２３を被せて取り付け、該カバー２３でメッシュ容器取付部１２ｇの開口を閉鎖している。
さらに、貯水タンク１２の下面には、支持脚部１２ｉを下方に向けて突設している。
なお、ケース１４の内部構造は第１実施形態と同様のため、図１０では、ケース１４内に収容した赤外線センサー等の図示を省略している。
【００４５】
前記構成によれば、タンク１２に貯留された液体に水溶性薬剤３０を溶かすことにより、前記液体を害獣が嫌う嫌液として、より害獣撃退効果を高めることができる。
なお、他の構成及び作用効果は第１実施形態と同様のため、同一の符号を付して説明を省略する。
【００４６】
図１１に、本発明の第３実施形態を示す。
第３実施形態では、水道配管とホースを介して接続できない箇所に設置し、特に、害獣撃退用として好適に用いられるものとしている。
前記のように、貯水タンク１２に設けた水道との接続用のジョイント部はホースと接続した時は開状態となり、非接続時には閉状態となる。該ジョイント部に給水容器から水を注入するホース（図示せず）を接続し、貯水タンク１２内に水を供給し、供給後はホースを外して貯水タンク１２内を密閉している。
なお、本装置の設置箇所に隣接して給水タンクを設置し、該給水タンクと貯水タンク１２とをホースで接続し、貯水タンク１２内に水を自動的に補給できる構成としてもよい。
さらに、前記ジョイント部とは別に水投入口を設け、貯水タンク１２内に水を供給後に蓋をして密閉するようにしてもよい。例えば、後述する加圧ポンプ２４を取り外して、該加圧ポンプ２４の取付口を水投入口としてもよい。
【００４７】
貯水タンク１２内に貯留した水を送液管１３を通して水噴射手段１１から噴射するには水道圧と同程度の水を加圧する必要がある。よって、タンク１２内に圧力空気を供給する手動式の加圧ポンプ２４と、貯水タンク１２内の圧力を計測する圧力計２５を貯水タンク１２に設けている。本実施形態では、貯水タンク１２に大きな圧力がかかるため、貯水タンク１２を剛性の高いステンレスにより形成している。
【００４８】
貯水タンク１２内に所要量の水を注入した後、貯水タンク１２を密閉し、圧力計２５を参照にしながら加圧ポンプ２４を手動回転して貯水タンク１２内を所要の圧力まで加圧しておく。
前記第１実施形態と同様の方法により、赤外線センサーにより害獣を検出し、開閉弁１８が開くと、貯水タンク１２内の圧力により、該貯水タンク１２に貯留された水が水噴射手段１１へと圧送され、噴射口１１ｄから害獣を目がけて水を噴射することができる。
【００４９】
前記構成によれば、山間部等の水道水を供給できない場所であっても、貯水タンク１２に水を貯留しておくことにより、加圧されたタンク１２内の圧力により水を害獣に向けて噴射することができる。
なお、本実施形態においても、第２実施形態のように、タンク１２にメッシュ容器を取り付けられる構成として、液体に水溶性薬剤を溶かしてもよい。
他の構成及び作用効果は第１実施形態と同様のため、同一の符号を付して説明を省略する。
なお、水道管が敷設されていない場所に設けた菜園等において、散水にも利用できることは言うまでもない。
【００５０】
図１２に、本発明の第４実施形態を示す。
第４実施形態では、貯水タンク１２を円柱形状の大型のタンクとしており、貯水部１２ｂの下部に直接支持脚部１２ｉを設けている。また、貯水タンク１２の上壁部に第３実施形態と同様の手動の加圧ポンプ２４、圧力計２５および給水口１２ｊを設け、水噴射手段１１、送給管１３、制御ボックス１４を上壁中央から側方にズレた位置に設けている。本実施形態の貯水タンク１２は、タンク容量を約８０００ｃｃ、貯水量を約５０００ｃｃとし、上下寸法より直径が大きな円筒形状としている。
本実施形態のような大型の貯水タンク１２を支持台とすれば、より安定した状態で本装置を用いることができる。
【００５１】
また、加圧ポンプは、手動の加圧ポンプに替えて、図１３に示すように、電動の加圧ポンプ２４’としている。
本装置では、貯水タンク１２内の水圧を圧力計２５で測定し、設定水圧以下となると自動的に加圧ポンプが作動して、水圧を常時一定圧に保持している。これにより、害獣を検出した噴射で貯水タンク１２内の水量が低下しても常に一定圧に保持でき、複数回の害獣撃退用の噴射を自動的に行わせることができる。
なお、他の構成及び作用効果は第１実施形態と同様のため、同一の符号を付して説明を省略する。
【００５２】
なお、前記のように、給水タンクを隣接配置して、貯水タンクとホースと接続しておき、かつ、貯水タンク内の水の有無を検出するセンサーを設け、噴射により水が無くなったことを検出すると、貯水タンクから水を自動補給すると共に、補給後に加圧ポンプに付設した電池により自動的に加圧ポンプを回転させる構成としておくと、給水タンクの水が無くなるまで、複数回数、害獣を検出すると水を噴射して撃退することができる。
【図面の簡単な説明】
【００５３】
【図１】本発明の第１実施形態の正面図である。
【図２】害獣撃退装置の要部断面正面図である。
【図３】貯水タンクを示し、（Ａ）は図１のＡ−Ａ線断面図、（Ｂ）は（Ａ）のＢ−Ｂ線断面図である。
【図４】図１の平面図である。
【図５】水噴射手段の斜視図である。
【図６】（Ａ）（Ｂ）はネジによる噴射距離の調整方法を示す図面である。
【図７】（Ａ）（Ｂ）は調整板による噴射距離の調整方法を示す図面である。
【図８】（Ａ）（Ｂ）は噴射口の回転方向を変換する構造を示す図面である。
【図９】噴射範囲調整部材を示す図面である。
【図１０】第２実施形態の要部断面正面図である。
【図１１】第３実施形態の正面図である。
【図１２】第４実施形態を示し、（Ａ）は正面図、（Ｂ）は平面図である。
【図１３】第４実施形態の変形例を示し、（Ａ）は正面図、（Ｂ）は平面図である。
【図１４】従来例を示す図面である。
【符号の説明】
【００５４】
１０  散水兼用の害獣撃退装置
１１  水噴射手段
１２  貯水タンク
１２ｄ  ジョイント部
１２ｇ  メッシュ容器取付部
１３  送給管
１４  制御ボックス
１５  赤外線センサー
１６  温度センサー
１７  制御盤
１８  開閉弁
２０  電池収容部
２１  乾電池
２４  加圧ポンプ
４０  操作スイッチ
【図１】
2009178089.tif 000003
【図２】
2009178089.tif 000004
【図３】
2009178089.tif 000005
【図４】
2009178089.tif 000006
【図５】
2009178089.tif 000007
【図６】
2009178089.tif 000008
【図７】
2009178089.tif 000009
【図８】
2009178089.tif 000010
【図９】
2009178089.tif 000011
【図１０】
2009178089.tif 000012
【図１１】
2009178089.tif 000013
【図１２】
2009178089.tif 000014
【図１３】
2009178089.tif 000015
【図１４】
2009178089.tif 000016